(57)【特許請求の範囲】
【請求項１】
窓部を室外側ガラスと室内側ガラスとにより二重構造とし、両ガラス間に空気層を設けたカーテンウォール構造において、
左右方向に隣接するガラス間に配置される方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口から室内に至る連通路を開放又は閉鎖するとともに、前記室内側換気口から前記空気層に至る連通路を開放又は閉鎖する流路切換装置を設けたことを特徴とするカーテンウォールの窓部換気構造。
【請求項２】
前記縦方向空間内を高さ方向に適宜の間隔で仕切るとともに、仕切られた各縦方向空間部において、下側位置に前記外気導入口を形成するとともに、上側位置に前記室内側換気口を形成してある請求項１記載のカーテンウォールの窓部換気構造。
【請求項３】
前記縦方向空間内を高さ方向に適宜の間隔で区切る仕切り材は、室外側に向けて下り勾配となるように配置し、前記外気導入口は前記仕切り部材が方立の室外側壁面へ接合する位置の直上に形成してある請求項２記載のカーテンウォールの窓部換気構造。
【請求項４】
前記室内側換気口は方立側面に形成され、前記流路切換装置は、室内側に外気吹出口を有するとともに、側面に前記空気層に至る空気層連通口を有し、前記方立の側面に配置された換気用カバー材と、この換気用カバー材の内部に室内外方向にスライド可能に配置されるとともに、前記室内側換気口から外気吹出口に至る通路を開放し前記室内側換気口から前記空気層連通口に至る通路を閉鎖する位置と、前記室内側換気口から前記空気層連通口に至る通路を開放し前記室内側換気口から前記外気吹出口に至る通路を閉鎖する位置との間でスライド制御される切換弁部材とから構成される請求項１〜３いずれかに記載のカーテンウォールの窓部換気構造。
【請求項５】
前記室内側換気口は方立側面に形成され、前記流路切換装置は、室内側に外気吹出口を有するとともに、側面に前記空気層に至る空気層連通口を有し、前記方立の側面に配置された換気用カバー材と、この換気用カバー材の内部に室内外方向にスライド可能に配置されるとともに、前記室内側換気口から外気吹出口に至る通路を開放し前記室内側換気口から前記空気層連通口に至る通路を閉鎖する位置と、前記室内側換気口から前記空気層連通口に至る通路を開放し前記室内側換気口から前記外気吹出口に至る通路を閉鎖する位置と、さらに室内から前記空気層連通口に至る通路を開放し前記室内側換気口を閉鎖する位置の間でスライド制御される切換弁部材とから構成される請求項１〜３いずれかに記載のカーテンウォールの窓部換気構造。
【請求項６】
前記空気層は、室外側寄り位置にブラインドを備え、室内側寄り位置には上下方向に適宜の間隔で整流板が配設されている請求項１〜５いずれかに記載のカーテンウォールの窓部換気構造。
【請求項７】
前記空気層の上部側に上昇空気が導入されるリターンエア用チャンバーを設けるとともに、該リターンエア用チャンバに集合された空気を方立内部に画成した排気用流路を通して外部に排気するようにしてある請求項１〜６いずれかに記載のカーテンウォールの窓部換気構造。
【発明の詳細な説明】
【技術分野】
【０００１】
本発明は、サッシやカーテンウォール等の窓部において、雨水等の浸入を確実に防止しながら、外気の導入を可能とするとともに、ダブルスキンに対応したカーテンウォールの窓部換気構造に関する。
【背景技術】
【０００２】
従来より、カーテンウォールの窓部においては、外気を導入し換気を図るために換気装置を設けた構造が知られている。
【０００３】
例えば、下記特許文献１に示されるように、透明ガラスを嵌めた室内側障子と透明ガラスを嵌めた室外側障子とからなる二重窓構造のカーテンウォールにおいて、前記二重窓を囲む枠体のうち下枠および上枠の内部を前記二重窓の内側部分と導通させるとともに、これら下枠および上枠に室内側通気口および室外側通気口を設け、前記下枠および上枠の内部に、前記室内側通気口および室外側通気口の一方を選択的に閉塞し、他方を前記二重窓の内側部分と導通させる切換扉を備えたカーテンウォール窓構造が開示されている。
【０００４】
また下記特許文献２では、嵌め殺し窓下部のスパンドレル部に大気と室内を連通する吸気通路を室内側を大気側より高位置となる斜行状に形成し、吸気通路との室内側に円弧状断面の開閉材を吸気通路を開閉するように回動自在に枢着し、前記開閉材から室内にハンドルを突出させたカーテンウォール建物の換気装置が開示されている。
【０００５】
下記特許文献３では、上障子の下枠と下障子の上枠とによりこれらに囲まれた空間部を有する無目を構成し、その空間部を囲む室外側、室内側壁部に所定の開口比で開口部を設け、室内側開口部には雨水が直接吹き付けないようにしたサッシの換気装置が開示されている。
【０００６】
さらに下記特許文献４では、図１５に示されるように、カーテンウォール壁面を構成する外壁パネルと、それに高さ方向に隣接するサッシ枠６０の横枠６１との間に外気を導入する換気経路を形成した換気構造であって、前記横枠６１には、横枠６１の見込み幅より大きい見込み幅を持つ見込み片６２ａと見付け片６２ｂからなる水切り６２が横枠との間に間隔を隔てて接合されており、換気経路は横枠６１と水切り６２との間を通じ、室外から室内まで連通して形成されているカーテンウォールの換気構造が開示されている。
【０００７】
一方、近年はガラス窓から差し込む日射熱による熱負荷を軽減し省エネルギー化を図った、いわゆるダブルスキンと呼ばれるカーテンウォール構造が種々提案されている。このダブルスキンは、窓部を室外側ガラスと室内側ガラスとの二重構造にして中間に空気層を設けた構造にするとともに、窓部の上下部にそれぞれ流路切換装置（開閉装置、連通切替機構、切換扉）を備え、例えば夏期は下部側から室外空気を空気層に導入させて上部側から室外に排気するようにし、冬期は下部側から室内空気を空気層に導入させて上部側から室内に戻すようにし、さらに中間期は室外空気を室内に取り入れ可能とすることにより、季節毎に効率的な省エネルギー化が図れるようにしたものである。
【０００８】
具体的に下記特許文献５には、窓部用上横枠材と窓部用下横枠材と左右の窓部用縦枠材よりなる枠部と、前記枠部の室外側寄りに取付けた室外側透光体と室内側寄りに取付けた室内側透光体と、前記室外側透光体と室内側透光体との間の空気層に設けた透光可能に作動する遮光体を備え、前記窓部用上横枠材は、空気層の上部に開口した上部流出口、外気に開口した排気口、この上部流出口と排気口を連通・遮断する上部開閉装置を有し、前記窓部用下横枠材は、空気層の下部に開口した下部流入口と、この下部流入口を外気に連通する外気導入口、この下部流入口と外気導入口とを連通・遮断する下部開閉装置を有するカーテンウオールの窓部が開示されている。
【０００９】
また下記特許文献６には、建物の室内空間と屋外とを仕切って外壁部や窓部を構成する仕切材を相互に間隔をあけて内外二重に配置し、これら仕切材間に空気層を画成した建物のダブルスキンにおいて、前記空気層の上部及び下部にそれぞれ建物の屋外に連通して設けられた上下２つの屋外通気口と、前記空気層の上部及び下部にそれぞれ建物の室内空間に連通して設けられた上下２つの室内通気口と、前記空気層の上部及び下部にそれぞれ設けられ、前記空気層の上部及び下部において前記屋外通気口または前記室内通気口のいずれか一方を選択して前記空気層に連通させるための上下２つの連通切替機構とを備えた建物のダブルスキン構造が開示されている。
【特許文献１】特開２００３−３１４１５４号公報
【特許文献２】実開昭６０−８４６１７号公報
【特許文献３】実開昭５２−３４５５０号公報
【特許文献４】特開平９−１６５８５２号公報
【特許文献５】特開２０００−２７４１５２号公報
【特許文献６】特開２００２−２５６６３７号公報
【発明の開示】
【発明が解決しようとする課題】
【００１０】
しかしながら、上記特許文献１〜２に記載される換気装置は、下枠又は上枠部分等の横枠内部に室内外方向の換気経路を形成するとともに、この換気経路を開閉自在とする切換扉又は開閉材を設けるものであるが、下枠又は上枠の見付け寸法を大きく取る必要があるため、窓部の意匠的デザインが大きく制限を受けることになる。また、室外側に形成される外気導入口と室内側に形成される換気口との位置ヘッド差（高低差）を大きく取ることが困難であるため、室内側に雨水が浸入し易いなどの問題があった。
【００１１】
また、前記特許文献３に記載される換気装置も同様で、無目の見付け幅を大きく確保する必要があり、意匠的デザインが大きく制約を受けることになる。また、同文献では雨水が直接導入しないように邪魔壁を設けるようにしているが、室外側に形成される外気導入口と室内側に形成される換気口との高低差を大きく取ることが困難であるため、やはり室内側に雨水が浸入するおそれがあるなどの問題がある。
【００１２】
これらに対して、上記特許文献４に記載された換気構造は、サッシ枠６０の横枠６１に、サッシ枠６０と外壁パネル間で雨水の伝わりを防止する水切り６２を接合し、水切り６２を利用して室外から室内まで連通する換気経路を形成しているため、横枠６１に換気口を形成する必要がなく、意匠的デザインの制約が上記特許文献１〜３に比較すると少ないという利点を有するが、雨水の浸入を確実に防止するには、室外側に形成される外気導入口と室内側に形成される換気口との高低差を大きく取る必要があり、前記水切りの見付け片６２の高さ寸法をある程度大きくしなければならないとともに、前記見付け片６２を隠すために横枠６１の高さ寸法を同じ程度まで大きくする必要がある。
【００１３】
一方、前記ダブルスキンに係るカーテンウォール構造は、いずれも室外側ガラス及び室内側ガラスを支持する上枠及び下枠の内部に流路切換装置（開閉装置、連通切替機構、切換扉）を組み込んだ構造であり、上枠及び下枠の意匠的デザインが大きく制約を受けることになる。また、前記流路切換装置の構造が大掛かりであるなどの問題があった。
【００１４】
そこで本発明の主たる課題は、横枠の断面形状が構造的かつ意匠的に制約を受けることがないとともに、室外側に形成される外気導入口と室内側に形成される換気口との高低差を大きく取ることができ、雨水等の浸入を確実に防止し得るダブルスキンに対応したカーテンウォールの窓部換気構造を提供することにある。
【課題を解決するための手段】
【００１５】
前記課題を解決するために請求項１に係る本発明として、窓部を室外側ガラスと室内側ガラスとにより二重構造とし、両ガラス間に空気層を設けたカーテンウォール構造において、
左右方向に隣接するガラス間に配置される方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口から室内に至る連通路を開放又は閉鎖するとともに、前記室内側換気口から前記空気層に至る連通路を開放又は閉鎖する流路切換装置を設けたことを特徴とするカーテンウォールの窓部換気構造が提供される。
【００１６】
上記請求項１記載の発明に係る換気構造は、換気経路として水平方向に隣接するガラスとガラスとの間に配設される方立の縦方向空間を利用するものである。具体的には、方立内部に縦方向の空間を画成し、前記縦方向空間を画成する室外側に外部空間と連通する外気導入口を形成するとともに、前記外気導入口よりも高い位置に室内空間と連通する室内側換気口を形成し、かつ前記室内側換気口から室内に至る連通路を開放又は閉鎖するとともに、前記室内側換気口から前記空気層に至る連通路を開放又は閉鎖する流路切換装置を設けるようにしたものである。
【００１７】
本発明では、必要的構造部材として配置される方立の、縦方向に連続する内部空間を利用して換気用流路を形成することにより、横枠部材は何らの構造的及び意匠的制限を受けることが無くなるとともに、窓部デザインを自由に設計することが可能となる。また、方立の縦方向空間を利用するため、外気導入口と室内側換気口との間に十分な高低差を確保することが可能となるため、雨水の浸入を確実に防止できるようになる。
【００１８】
さらに、外気を室内に取り入れる換気モードの他に、外気をダブルスキンの空気層に導入することにより、冷房負荷軽減等の効率的な省エネルギー化が図れるようになる。
【００１９】
請求項２に係る本発明として、前記縦方向空間内を高さ方向に適宜の間隔で仕切るとともに、仕切られた各縦方向空間部において、下側位置に前記外気導入口を形成するとともに、上側位置に前記室内側換気口を形成してある請求項１記載のカーテンウォールの窓部換気構造が提供される。
【００２０】
上記請求項２記載の発明は、方立内部の縦方向空間を適宜の間隔で仕切り、仕切られた各縦方向空間部において、下側位置に前記外気導入口を形成するとともに、上側位置に前記室内側換気口を形成するようにしたもので、前記仕切り部材によって仕切られた各縦方向空間毎に換気経路を形成することにより換気能力の増大が図れるようになる。
【００２１】
請求項３に係る本発明として、前記縦方向空間内を高さ方向に適宜の間隔で区切る仕切り材は、室外側に向けて下り勾配となるように配置し、前記外気導入口は前記仕切り部材が方立の室外側壁面へ接合する位置の直上に形成してある請求項２記載のカーテンウォールの窓部換気構造が提供される。
【００２２】
上記請求項３記載の本発明では、浸入した雨水が自然排水されるように、前記仕切り材は室外側に向けて下り勾配となるように傾斜状に配置し、前記外気導入口は、前記仕切り材が方立の室外側壁面へ接合する位置の直上に形成するようにしたものである。
【００２３】
請求項４に係る本発明として、前記室内側換気口は方立側面に形成され、前記流路切換装置は、室内側に外気吹出口を有するとともに、側面に前記空気層に至る空気層連通口を有し、前記方立の側面に配置された換気用カバー材と、この換気用カバー材の内部に室内外方向にスライド可能に配置されるとともに、前記室内側換気口から外気吹出口に至る通路を開放し前記室内側換気口から前記空気層連通口に至る通路を閉鎖する位置と、前記室内側換気口から前記空気層連通口に至る通路を開放し前記室内側換気口から前記外気吹出口に至る通路を閉鎖する位置との間でスライド制御される切換弁部材とから構成される請求項１〜３いずれかに記載のカーテンウォールの窓部換気構造が提供される。
【００２４】
請求項５に係る本発明として、前記室内側換気口は方立側面に形成され、前記流路切換装置は、室内側に外気吹出口を有するとともに、側面に前記空気層に至る空気層連通口を有し、前記方立の側面に配置された換気用カバー材と、この換気用カバー材の内部に室内外方向にスライド可能に配置されるとともに、前記室内側換気口から外気吹出口に至る通路を開放し前記室内側換気口から前記空気層連通口に至る通路を閉鎖する位置と、前記室内側換気口から前記空気層連通口に至る通路を開放し前記室内側換気口から前記外気吹出口に至る通路を閉鎖する位置と、さらに室内から前記空気層連通口に至る通路を開放し前記室内側換気口を閉鎖する位置の間でスライド制御される切換弁部材とから構成される請求項１〜３いずれかに記載のカーテンウォールの窓部換気構造が提供される。
【００２５】
上記請求項４〜５記載の発明は、流路切換装置の具体例を列記したものである。具体的に請求項４記載の発明は、外気を室内に導入する換気モードと、外気を空気層に導入し冷房負荷等を軽減する省エネモードとの切換が簡単に行える。また、請求項５記載の発明には、上記換気モード、省エネモードの他に、外気を空気層に導入する第２の省エネモードとの切換が簡単に行える。
【００２６】
請求項６に係る本発明として、前記空気層は、室外側寄り位置にブラインドを備え、室内側寄り位置には上下方向に適宜の間隔で整流板が配設されている請求項１〜５いずれかに記載のカーテンウォールの窓部換気構造が提供される。
【００２７】
上記請求項６記載の発明は、空気層の室外側寄り位置にブラインドを設け、室内側寄り位置には上下方向に適宜の間隔で整流板を配設するようにしたものであり、前記整流板により空気層の室内側を上昇する空気を室外側に導流できるようになり、太陽熱の熱吸収効果が向上するようになる。
【００２８】
請求項７に係る本発明として、前記空気層の上部側に上昇空気が導入されるリターンエア用チャンバーを設けるとともに、該リターンエア用チャンバに集合された空気を方立内部に画成した排気用流路を通して外部に排気するようにしてある請求項１〜６いずれかに記載のカーテンウォールの窓部換気構造が提供される。
【００２９】
上記請求項７記載の発明は、空気層内を上昇した空気の処理に関し、室外側に排気する場合の構造を規定したものであり、空気の排出経路についても、方立内部に画成した排気用流路を通して外部に排気するようにすれば、横枠部材は何らの構造的及び意匠的制限を受けることが無くなるとともに、窓部デザインを自由に設計することが可能となる。
【発明の効果】
【００３０】
以上詳説のとおり本発明によれば、カーテンウォールの窓部換気構造において、換気経路としてガラスとガラスとの間に配設される方立の縦方向空間を利用するようにしたため、横枠の断面形状が構造的かつ意匠的な制約を受けることがないとともに、室外側に形成される外気導入口と室内側に形成される換気口との高低差を十分に確保することができるため、雨水等の浸入を確実に防止できるようになる。また、外気をダブルスキンの空気層に導入可能とすることにより、冷房負荷軽減等の効率的な省エネルギー化が図れるようになる。
【発明を実施するための最良の形態】
【００３１】
以下、本発明の実施の形態について図面を参照しながら詳述する。
【００３２】
図１はカーテンウォール構造１の室外側からの姿図であり、図２は図１のII−II線矢視図、図３は図１のIII−III線矢視図である。
【００３３】
カーテンウォール構造は、図１に示されるように、実質的に縦枠となる左右両側の分割方立２，３と、上枠４と、下枠５とによって方形枠が構成されるとともに、中間に配設された中間無目６によって開口部が、上部側窓部と下部側窓部とに分割形成され、これらの各開口部に対してガラスＧ、Ｇが嵌め込まれている。
【００３４】
前記中間無目６、下枠５及び分割方立２，３によって囲まれた下段側窓部の構造は、室外側ガラスＧＯと、室内側ガラスＧＩとにより二重構造とされ、両ガラスＧＯ、ＧＩとによって挟まれた空間に空気層７が形成されている。また、空気層７内には、日射を遮るとともに、空気層７内の空気温度の上昇を図り、上昇流の生起及びそれによる換気の効率化によって熱負荷の軽減を図るために、空気層７内の室外側寄りにブラインド８が配設されている。なお、本例では前記室外側ガラスＧＯとして、複層ガラスが用いられている。
【００３５】
一方、前記上枠４、中間桟材６及び分割方立２，３によって囲まれた上段側窓部の構造は、室外側寄りにガラスＧが嵌め込まれ、室内側寄りに耐火ボード９が配設された二重構造となっている。
【００３６】
前記分割方立２，３は、詳細には図４に示されるように、左右に隣接する半割構造の方立が組み合わされることにより、断面略矩形状の方立が構成されるようにしたものであり、一方側の分割方立２は、室内側寄り位置に分割方立３側に向けて突出する段状断面の室内側突出片２ａを有するとともに、中間部にも同様に、分割方立３側に向けて突出する段状断面の中間部第１突出片２ｂと、この中間部突出片２ｂよりも室外側寄り位置に他方側分割方立３側に向けて突出する中間部第２突出片２ｃを有し、かつ室外側寄り位置に断面Ｌ字状のガラス支持用突出片２ｄを有する。そして、押縁１０が取り付けられることにより内方側に向けて凹状のガラス嵌合溝Ｍが形成される。
【００３７】
一方、前記他方側の分割方立３は、室内側寄り位置に分割方立２側に向けて突出するシール保持片３ａを有するとともに、中間部にも同様に、分割方立３側に向けて突出するシール保持片３ｂと、このシール保持片３ｂよりも室外側寄り位置に分割方立２側に向けて突出する中間部第２突出片３ｃを有し、かつ室外側寄り位置に断面Ｌ字状のガラス支持用突出片３ｄを有する。そして、押縁１１が取り付けられることにより内方側に向けて凹状のガラス嵌合溝Ｍが形成される。
【００３８】
前記分割方立２と分割方立３とは、左右方向に隣接配置された状態では、前記分割方立２の室内側突出片２ａ及び中間部第１突出片２ｂと、前記分割方立３のシール保持片３ａ、３ｂとがそれぞれ重なるように配置され、前記シール保持片３ａ、３ｂによって保持された固形シール１２，１３によって気水密性が保持されるようになっているとともに、分割方立２の中間部第２突出片２ｃと、分割方立３の中間部第２突出片３ｄとが間隔を空けて対向し、縦方向に沿ってスリット状の溝１４が形成されるようになっている。また、ガラス嵌合溝Ｍ、Ｍを形成している室外側寄り位置でも縦方向に沿ってスリット状の溝１５が形成され、前記分割方立２と分割方立３とによって囲まれた内部空間が外部と連通する状態となっている。
【００３９】
上記カーテンウォール構造に対して本換気構造を適用するには、前記分割方立２と分割方立３とによって囲まれた内部空間内に、図示例では分割方立２側で言えば、中間部第１突出片２ｂと中間部第２突出片２ｃの間の空間内に、長手通しで断面略Ｌ字状の仕切り枠１６，１６を配設するとともに、この仕切り枠１６，１６と中間部第２突出片２ｃ、３ｃとの間の空間にシーリング材１７，１７を充填することにより、縦方向に連続する縦方向空間Ｐを画成する。
【００４０】
前記縦方向空間Ｐには、図６にも示されるように、所定の間隔で仕切り材１８，１８…が配設され、前記縦方向空間Ｐが各縦方向空間Ａ、Ｂ…に仕切られている。前記仕切り材１８，１８…によって仕切られた各縦方向空間Ａ、Ｂ…においては、その下側部分に前記仕切り枠１６の室内側面に開口が形成され外気導入口１６ａが形成されるとともに、その上部側であって分割方立２，３の側面に室内側換気口２ｅ（３ｅ）が形成されている。前記仕切り材１８の配設部位には、浸入雨水を排出するために、キャッチパン１９が設けられている。このキャッチパン１９は、図示例ではシリコンスポンジからなる材料が用いられ、外側に向けて下り勾配とされ、浸入雨水を外部に排出可能となっている。
【００４１】
従って、分割方立２と分割方立３との間に形成された縦方向のスリット溝１５から一次外気導入空間Ｐ１に外気が導入された後、仕切り枠１６を回り込む流路を通り外気導入口１６ａから各縦方向空間Ａ、Ｂ…内に外気が導入される。そして、縦方向空間Ａ、Ｂ…を上昇した外気は、分割方立２，３の側面に形成された各室内側換気口２ｅ、３ｅより方立外部に流出するようになっている。
【００４２】
前記室内側換気口２ｅ、３ｅから流出した外気を室内側に導入させるか、或いはダブルスキンの空気層７に導入させるかを制御するために流路切換装置２０が分割方立２，３の側面に夫々設けられる。
【００４３】
前記流路切換装置２０は、室内側位置に外気吹出口となるスリット状の開口溝２３（以下、外気吹出口２３という。）を有するとともに、空気層７に至る空気層連通口２１ａを有し、前記分割方立２，３の側面に配置された長手通しの換気用カバー材２１と、この換気用カバー材２１の内部に室内外方向にスライド可能に配置されるとともに、前記室内側換気口２ｅ（３ｅ）から外気吹出口２３に至る通路（換気カバー材２１の内部通路）を開放し前記室内側換気口２ｅ（３ｅ）から前記空気層連通口２１ａに至る通路を閉鎖する位置と、前記室内側換気口２ｅ（３ｅ）から前記空気層連通口２１ａに至る通路を開放し前記室内側換気口２ｅ（３ｅ）から前記外気吹出口２３に至る通路を閉鎖する位置との間でスライド制御される長手通しの切換弁部材２２とから構成される。
【００４４】
より具体的には、前記換気用カバー材２１は、室内側に断面Ｌ字状部を有する板状部材が用いられ、前記断面Ｌ字状部を分割方立２，３との間に隙間を空けて配置することにより外気吹出口２３が形成され、空気層７の側面を構成する壁面部分に空気層７に至る空気層連通口２１ａが形成されている。
【００４５】
前記切換弁部材２２は、室内側に開口を向けて配置された断面コ字状の部材であり、分割方立２，３側の面においては、その室外側と室内側とに２列配置でエアタイト材２４ａ、２４ｂを保持するとともに、前記エアタイト材２４ａ、２４ｂ間の中間壁面であって、かつ前記室内側換気口２ｅ（３ｅ）に対応する高さ位置に換気連通用開口２２ａが形成されている、また、前記換気用カバー材２１側の面においては、その室外側と室内側とに２列配置でエアタイト材２４ｂ、２４ｂを保持している。
【００４６】
従って、図５(A)及び図６に示されるように、前記切換弁部材２２を換気用カバー材２１内において、前記室内側換気口２ｅ（３ｅ）に対して前記換気連通用開口２２ａを対面させる位置にスライドさせた場合には、室内側換気口２ｅ（３ｅ）から外気吹出口２３に至る通路が開放されるとともに、空気層連通口２１ａが閉鎖され、外気が室内に導入される。
【００４７】
また、図５(B)に示されるように、前記切換弁部材２２を室内側にスライドさせた場合には、外気吹出口２３に至る通路が閉鎖され、室内側換気口２ｅ（３ｅ）から前記空気層連通口２１ａに至る通路が開放され、外気が空気層７に導入されるようになる。
【００４８】
前記空気層７内においては、図７に示されるように、室外側寄り位置にブラインド８が配置されるとともに、室内側寄り位置に高さ方向に適宜の間隔で整流板２５，２５…が配置されている。前記整流板２５には、図３に示されるように、適宜の位置に気流通過孔２５ａ、２５ａ…が形成されている。
【００４９】
空気層７の空気が太陽熱で加熱されることによって上昇流が生起され、高さ方向に適宜の間隔で形成された空気層連通口２１ａ、２１ａ…から空気層７に外気が導入される。空気層７内では、ブラインド８側の空気が太陽熱による熱影響を強く受け上昇気流が大きく発生する。相対的に室内側の空気は、ブラインド８側の対流に誘引されるように自然に進路を変更しながら上昇するとともに、上昇気流が前記整流板２５の下面に衝突することにより強制的に進路をブラインド８側に変更しながら上昇する。また、その一部は気流通過孔２５ａ、２５ａ…を抜けて上昇する。
【００５０】
カーテンウォールユニットの上段側窓部には、図８に示されるように、上昇した空気を集合するためにリターンエア用チャンバー２６が配設されるとともに、中間無目６に前記リターンエア用チャンバ２６に抜ける開口６ａが形成されており、暖気化された上昇空気が前記リターンエア用チャンバー２６内に導入し、上段側窓部から外部に排気されるようになっている。
具体的には、図９に示されるように、上段側窓部では、吸気側となる下段側窓部と同様に、分割方立２側で言えば、中間部第１突出片２ｂと中間部第２突出片２ｃの間の空間内に、長手通しで断面略Ｌ字状の仕切り枠１６，１６を配設するとともに、この仕切り枠１６，１６と中間部第２突出片２ｃ、３ｃとの間の空間にシーリング材１７，１７を充填することにより、縦方向に連続する縦方向空間Ｐが画成されている。この縦方向空間Ｐは、所定の間隔で仕切り材１８，１８…が配設され、図１０に示されるように、前記縦方向空間Ｐが各縦方向空間Ｅ、Ｆ、Ｇに仕切られている。前記仕切り材１８，１８…によって仕切られた各縦方向空間Ｅ，Ｆ、Ｇにおいては、その下側部分に分割方立２，３の側面に室内側排出口２ｆ（３ｆ）が形成されるとともに、その上部側であって前記仕切り材１８の下側位置に、前記仕切り枠１６の室内側面に対して空気排出口１６ｂが形成されている。なお、前記仕切り材１８の配設部位には、浸入雨水を排出するために、キャッチパン１９が設けられている。
【００５１】
また、同図９に示されるように、前記分割方立２，３の側面位置に排気用カバー材２７が夫々配設される。この排気用カバー材２７は、前記換気用カバー材２１と同一部材が使用されるが、室内側の開口はシール材２８によって塞がれ周囲が閉鎖された空間Ｋが形成されている。前記排気用カバー材２７には前記リターンエア用チャンバー２６に連通する開口２７ａが形成されており、排出空気は図１０に示されるように、前記リターンエア用チャンバー２６から空間Ｋに至り、分割方立２，３の室内側排出口２ｆ（３ｆ）から縦方向空間Ｅ，Ｆ、Ｇに入り、上昇した後、仕切り枠１６の空気排出口１６ｂから抜け出て、仕切り枠１６を回り込む流路を通って外部に排出される。
【００５２】
〔第２形態例〕
上記第１形態例では、流路切換装置２０に関して、前記室内側換気口２ｅ、３ｅから流出された外気を室内側に導入させるか、或いはダブルスキンの空気層７に導入させるかを制御することとし、換気停止モードを有しない構造としたが、図１１に示されるように、切替弁部材２２Ａの分割方立２，３側の面において、その室外側、室内側及び中間部に３列配置でエアタイト材２４ａ、２４ａ…を保持するとともに、エアタイト材２４ａ、２４ａで挟まれた一方側中間壁面に換気連通用開口２２ａを形成すれば、図１２(A)に示される状態では外気導入を停止し、図１２(B)に示されるように、前記切換弁部材２２Ａの換気連通用開口２２ａを方立２，３の室内側換気口２ｅ（３ｅ）に対面する位置にスライドさせた場合には、外気が方立２，３の室内側換気口２ｅ（３ｅ）及び前記換気連通用開口２２ａを通して外気吹出口２３に至る流路が開放され、外気が室内に導入されるようになり、図１２(C)に示されるように、切替弁部材２２Ａを最も室内側に移動させた状態では室内側換気口２ｅ（３ｅ）から空気層連通口２１ａに至る流路が開放され外気を空気層７に導入可能となる。
【００５３】
〔第３形態例〕
さらに、図１３及び図１４に示される第３形態例は、換気モード及び空気層導入モードの他に、室内空気を空気層７に導入可能とした例である。
図１３に示されるように、切替弁部材２２Ｂの分割方立２，３側の面において、その室外側、室内側及び中間部に３列配置でエアタイト材２４ａ、２４ａ…を保持するとともに、エアタイト材２４ａ、２４ａで挟まれた一方側中間壁面に換気連通用開口２２ａを形成し、前記換気用カバー材２１側の面において、その室外側、室内側及び中間部に３列配置でエアタイト材２４ｂ、２４ｂ…を保持するとともに、エアタイト材２４ｂ、２４ｂで挟まれた他方側中間壁に空気層連通用開口２２ｂを形成するようにする。
【００５４】
従って、図１４(A)に示されるように、前記切換弁部材２２Ｂの換気連通用開口２２ａを方立２，３の室内側換気口２ｅ（３ｅ）に対面する位置にスライドさせた場合には、外気が方立２，３の室内側換気口２ｅ（３ｅ）及び前記換気連通用開口２２ａを通して外気吹出口２３に至る流路が開放され、外気が室内に導入されるようになり、図１４(Ｂ)に示されるように、切替弁部材２２Ｂを最も室内側に移動させた状態では室内側換気口２ｅ（３ｅ）から空気層連通口２１ａに至る流路が開放され外気を空気層７に導入可能となる。さらに、図１４(C)に示されるように、切替弁部材２２Ｂの空気層連通用開口２２ｂを換気用カバー材２１の空気層連通口２１ａに対面させる位置にスライドさせた場合には、外気吹出口２３から前記空気層連通口２１ａに至る通路が開放されるとともに、室内側換気口２ｅ（３ｅ）が閉鎖されるため、室内空気を空気層７に導入可能となる。
【図面の簡単な説明】
【００５５】
【図１】本換気構造の第１形態例を適用したカーテンウォールの外観図である。
【図２】図１のII−II線矢視図である。
【図３】図１のIII−III線矢視図である。
【図４】分割方立２，３部分の拡大横断面図である。
【図５】流路切換装置２０の作動による、(A)は外気の室内導入モードを示す図、(B)は外気の空気層導入モードを示す図である。
【図６】外気の室内導入モードの空気流路を示した縦断面図である。
【図７】外気の空気層導入モードの空気流路を示した縦断面図である。
【図８】空気の排気要領を示す要部縦断面図である。
【図９】空気の排出経路を示す方立部横断面図である。
【図１０】空気の排出流路を示す要部縦断面図である。
【図１１】第２形態例に係る流路切換装置２２Ａを示す方立部の横断面図である。
【図１２】流路切換装置２２Ａによる、(A)は換気停止モードを示す図、(B)は外気の室内導入モードを示す図、(C)は外気の空気層導入モードを示す図である。
【図１３】第３形態例に係る流路切換装置２２Ｂを示す方立部の横断面図である。
【図１４】流路切換装置２２Ｂの制御による、(A)は外気の室内導入モードを示す図、(B)は外気の空気層導入モードを示す図、(C)は室内空気の空気層導入モードを示す図である。
【図１５】従来の換気装置を示す要部縦断面図である。
【符号の説明】
【００５６】
１…カーテンウォール構造、２・３…分割方立、４…上枠、５…下枠、６…中間無目、７…空気層、８…ブラインド、９…耐火ボード、１６…仕切り枠、１６ａ…外気導入口、１８…仕切り材、２ｅ・３ｅ…室内側換気口、１９…キャッチパン、２０…流路切換装置、２１…換気用カバー材、２１ａ…空気層連通口、２２・２２Ａ・２２Ｂ…切替弁部材、２２ａ…換気連通用開口、２２ｂ…空気層連通用開口、２３…外気吹出口、２４ａ・２４ｂ…エアタイト材、２５…整流板、２６…リターンエア用チャンバー
【図１】
0004594817.tif 000002
【図２】
0004594817.tif 000003
【図３】
0004594817.tif 000004
【図４】
0004594817.tif 000005
【図５】
0004594817.tif 000006
【図６】
0004594817.tif 000007
【図７】
0004594817.tif 000008
【図８】
0004594817.tif 000009
【図９】
0004594817.tif 000010
【図１０】
0004594817.tif 000011
【図１１】
0004594817.tif 000012
【図１２】
0004594817.tif 000013
【図１３】
0004594817.tif 000014
【図１４】
0004594817.tif 000015
【図１５】
0004594817.tif 000016